(57)【特許請求の範囲】
【請求項１】
基材上に、少なくとも、不可視情報が記録された色材層と、該色材層を覆う透明保護層とを積層した積層シートであって、該不可視情報は、色材層にレーザー光を集光することにより、色材を粉砕または分解して消色することで記録されたことを特徴とする積層シート。
【請求項２】
前記レーザー光は、発振パルス幅が１ピコ秒以下である超短パルスレーザーであることを特徴とする請求項１記載の積層シート。
【請求項３】
記憶回路を有するＩＣチップが搭載されており、前記不可視情報の記録位置は、該記憶回路に記憶されていることを特徴とする請求項１又は２に記載の積層シート。
【請求項４】
前記不可視情報は文字列で表されており、該文字列は暗号化されていることを特徴とする請求項１〜３の何れか１項に記載の積層シート。
【請求項５】
前記文字列の暗号化に係るキーが、前記記憶回路に記憶されていることを特徴とする請求項４に記載の積層シート。
【請求項６】
前記色材層は、顔料インク熱転写プリンタを用いた顔料インクの色重ねにより形成され、前記不可視情報は、前記レーザー光の集光によって特定の色を消すことで記録されたことを特徴とする請求項１〜５の何れか１項に記載の積層シート。
【発明の詳細な説明】
【技術分野】
【０００１】
本発明は、情報セキュリティー分野に関連し、詳しくは、パスポートやＩＤカードなどの個人認証のための秘匿情報を付与した積層シートに関する。
【背景技術】
【０００２】
従来、パスポートや各種ＩＤカードなど個人認証を伴う証明物品には、顔写真を伴うものが一般的になっている。特に、セキュリティーに応用する場合には、個体識別することによる真贋判定を可能にしなければならないという問題が有る。
【０００３】
近年、顔写真などの可視情報に加えて、不可視情報の記録が多くの証明物品に施されるようになってきた。不可視情報記録法として、磁性インクのような磁気特性、可視光領域に高い透過性を持つ不可視インクのような光透過特性、紫外線照射により発光する蛍光インクのような発光特性応用などが実用化されている。これらの不可視情報は、カード製造工程において、同一の情報をカード表層に印刷法にて記録されている。個人認証データは、発行業務の中で追加されるものであり、可視情報としては、顔写真、氏名、などである。不可視情報は、磁気ストライプやＩＣチップに記録される。
【０００４】
しかしながら、偽造、改ざんによる不正使用は後を絶たない。そこで、更なるセキュリティー性を付与するために微細加工技術を用いて、ホログラムや回折格子、マイクロ文字などが識別情報として用いられてきた。これらはその存在が容易に確認できるため、その微細構造が比較的容易に偽造されてしまうので、逐次情報内容を更新しなければならなかった。そこで、従来のセキュリティーに替わる更なる情報記録方法が望まれていた。
【０００５】
そして、偽造困難な情報を付与する方法の一つとして、特許文献１に開示された方法がある。これによれば、レーザー光を照射することにより変色する顔料を含んだプラスチック基材層の一面の画像形成領域に、レーザー光を照射して材料の色調変化により暗号化処理した画像を形成するものが提案されている。
【０００６】
しかしながら、この方法では、変色させるための特殊な材料を必要とする欠点がある。
【０００７】
他の偽造防止の例として、特許文献２に示されている方法がある。カードの一部に書き換え可能な可逆性表示部を設け、その可逆性表示部の形状を、表示状態のときに、光学的に識別できるパターン状にし、非表示状態のときには透明化させて、可視光下では不可視となるようにした。そして、可逆表示部に用いる材料は、オルフラン染料と長鎖アルキルフェノール型可逆性顕色剤とを含むロイコ染料、または、高分子化合物中に脂肪酸を分散させた脂肪酸−高分子複合型材料としている。
【０００８】
しかし、この可逆性表示部の情報はカード属性をあらわす情報であり、カードの製造工程で印刷されるものであるので、個人認証データを付与することはできないという問題がある。
【０００９】
ところで、近年、１ピコ秒以下の超短パルスレーザーを有機化合物の深さの精密加工などに用いることが提唱されるようになった。特に、多光子吸収や熱緩和時間よりも短時間の現象であることなどにより非熱加工が可能であること、また、非線形応答のため加工分解能は光の回折限界以下であり、高い精度の加工が可能であることは公知である（例えば、非特許文献１参照）。
【特許文献１】特開２００２−０８６９６７号公報
【特許文献２】特開２００３−１５４７７８号公報
【非特許文献１】緑川克美、「フェムト秒レーザーと物質の相互作用」、レーザー加工学会誌、２００１年、第８巻、第３号
【発明の開示】
【発明が解決しようとする課題】
【００１０】
本発明は以上のような背景技術を考慮してなされたものであって、個人認証のために画像やテキストの中に偽造や贋作のきわめて困難な秘匿情報を付与した積層シートを提供することを課題とする。
【課題を解決するための手段】
【００１１】
前記課題を解決するために発明が提供する手段とは、まず、請求項１に示すように、基材上に、少なくとも、不可視情報が記録された色材層と、該色材層を覆う透明保護層とを積層した積層シートであって、該不可視情報は、色材層にレーザー光を集光することにより、色材を粉砕または分解して消色することで記録されたことを特徴とする積層シートである。
【００１２】
これによって、カード保持者が情報の存在に気づきにくく、拡大鏡でも発見困難な秘匿情報を付与した積層シートを提供出来る。
【００１３】
また、請求項２に示すように、前記レーザーは、発振パルス幅が１ピコ秒以下である超短パルスレーザーであることを特徴とする請求項１記載の積層シートである。
【００１４】
この超短パルスレーザーは、積層シートに熱影響を与えることがないので、保護層に損傷なくシートの内部のみが加工された積層シートを提供できる。また、超短パルスレーザーは、材料の光吸収特性の依存が極めて小さく、レーザー波長に合わせた材料を選択する必要が無い。
【００１５】
また、請求項３に示すように、記憶回路を有するＩＣチップが搭載されており、前記不可視情報の記録位置は、該記憶回路に記憶されていることを特徴とする請求項１又は２に記載の積層シートである。
【００１６】
これによって、任意に設定された秘匿情報の記録位置を暗号キーによって保護することができるので、秘匿情報の不正使用をきわめて困難にできる。
【００１７】
また、請求項４に示すように、前記不可視情報は文字列で表されており、該文字列は暗号化されていることを特徴とする請求項１〜３の何れか１項に記載の積層シートである。
【００１８】
これによって、記録された情報が発見されたとしても改ざんすることは困難となる。
【００１９】
また、請求項５に示すように、前記文字列の暗号化に係るキーが、前記記憶回路に記憶されていることを特徴とする請求項４に記載の積層シートである。
【００２０】
これによって、二重のキーを掛けることができるので、セキュリティー性を向上できる。
【００２１】
また、請求項６に示すように、前記色材層は、顔料インク熱転写プリンタを用いた顔料インクの色重ねにより形成され、前記不可視情報は、前記レーザー光の集光によって特定の色を消すことで記録されたことを特徴とする請求項１〜５の何れか１項に記載の積層シートである。
【００２２】
これによって、印刷後のインクは層を成していて、インク層構成が長期的に保持され、特定の色だけ消色可能であり、長期的にも真偽確認が可能であり、一般のプリンタを利用しての偽造は特に難しい。
【発明の効果】
【００２３】
請求項１の発明は、カード保持者が情報の存在に気づきにくく、拡大鏡でも発見困難な秘匿情報が付与した積層カードを提供できるという効果がある。
【００２４】
また請求項２の発明は、発振パルス幅が１ピコ秒以下である超短パルスレーザーで基材の上に印刷層、透明保護層を積層した積層シートの印刷層のインクに微細な図形、文字列からなる不可視情報が書き込まれた積層シートを提供出来るという効果がある。これによって、カード保持者が情報の存在に気づきにくく、拡大鏡でも発見困難な秘匿情報を付与した積層シートを提供出来るという効果がある。また、この超短パルスレーザーは、積層シートに熱影響を与えることがないので、保護層に損傷なくシートの内部のみが加工された積層シートを提供できるという効果がある。また、超短パルスレーザーは、材料の光吸収特性の依存が極めて小さく、レーザー波長に合わせた材料を選択する必要が無いので、安価な材料を使用できるという効果がある。
【００２５】
また請求項３の発明は、積層シートがＩＣチップを搭載するものであり、ＩＣチップの記憶回路に不可視情報の記録位置を記憶させることにより、任意に設定された秘匿情報の記録位置を暗号キーによって保護することができるので、秘匿情報の不正使用をきわめて困難にできるという効果がある。
【００２６】
また請求項４の発明は、不可視情報としての文字列を暗号化することで、記録された情報が発見されたとしても改ざんすることは困難とすることができるという効果がある。
【００２７】
また請求項５の発明は、不可視情報としての文字列の暗号化に係るキーを、搭載したＩＣチップの記憶回路に記憶させることで、二重のキーを掛けることができるので、セキュリティー性を向上できるという効果がある。
【００２８】
また請求項６の発明は、印刷後のインクは層を成していて、インク層構成が長期的に保持され、特定の色だけ消色可能であり、長期的にも真偽確認が可能であり、一般のプリンタを利用しての偽造は特に難しいという効果がある。
【００２９】
以上、本発明は、個人認証のために画像やテキストの中に偽造や贋作のきわめて困難な秘匿情報を付与した積層シートを提供できるという効果がある。
【発明を実施するための最良の形態】
【００３０】
以下に、本発明の最良の一実施形態を説明する。
【００３１】
本発明では、紙やプラスチックの基材の上に、顔料や染料を含有する色材層を設け、その色材層をプラスチックの透明保護層で覆った積層シートの色材層に焦点を絞って１ピコ秒以下の超短パルスレーザーを照射すると、その透明保護層越しに色材のみを破砕または、分解することで消色することで情報記録するものである。
【００３２】
１ピコ秒以下の超短パルスレーザーを透明体に照射することで、透明体の表面を損傷することなく、その透明体内部を改質することが可能である。
【００３３】
この消色領域の大きさは、サブミクロンの桁で制御可能であるので、従来用いられてきたマイクロ文字、画像に比べて１桁以上の精細さで情報記録ができる。
【００３４】
一般的に、印刷物の画素寸法は数十μｍであるので、１ピコ秒以下の超短パルスレーザーを用いて複数のマイクロメートル寸法の文字を１つの画素内に記録することは現実的である。
【００３５】
読み取りに際しては、顕微鏡システムを要するが、レーザー記録した画素位置を示す情報を予め別の手段、例えば、磁気ストライプ、光メモリー、ＩＣチップなどに保管しておき、読み取り時にその位置情報を参照する。ＩＣチップとのデータ通信は、接触型端子を設けても良いし、非接触型伝達手段を設けても良い。
【００３６】
更に、画素に記録した情報を暗号化することで情報の秘匿性を向上させうる。
【００３７】
暗号の解読キーは、レーザー記録した画素位置情報と同様に別の手段、例えば、磁気ストライプ、光メモリー、ＩＣチップなどに保管する。
【実施例】
【００３８】
図１は、本発明に係る超短パルスレーザーによる積層シート内部への不可視情報の記録方法の実施例であり、超短パルスレーザーにより、パスポート冊子への秘匿情報の書き込み方法を示す概略図である。また、図２は、本発明に係る超短パルスレーザーによりパスポート冊子への秘匿情報の書き込みを示す図である。
【００３９】
加工には、発振波長７７５ｎｍ、ピークパワー８００ｍＷ、パルスエネルギー８００μＪ／パルス、パルス幅２００フェムト秒、パルス繰り返し周波数１ｋＨｚ、光学的ビームスポットの直径１０μｍのフェムト秒レーザー装置を用いた。
【００４０】
パスポート冊子８の個人認証シートは、図示しない顔料インク熱転写プリンタにて紙基材２の表面に少なくとも４色（黄、マゼンタ、シアン、黒）のインク３で積層形成された画像部（顔写真）１２を持ち、その上に保護層４を積層してなる。インク３は、ブチラール系樹脂と顔料からなり、インク層の厚さは、約０．５μｍである。保護層４は、ウレタン系樹脂で厚さは５．５μｍである。
【００４１】
レーザービーム５は、集光レンズ６により、インク３の位置に光学半径１０μｍに絞られる。このとき、画素１０中の記録情報１１の拡大画像は、図示しないＣＣＤモニターカメラにより観察されている。
【００４２】
まず、パスポート冊子８の保護層４の表面位置を計測し、続いて、インク３の黒の深さにレーザービーム５の焦点を調整する。
【００４３】
そして、設計情報に基づき製作された加工情報に従って作成されたプログラムにて、Ｘ−Ｙ−Ｚステージ７を駆動させ、レーザーを照射する。
【００４４】
本実施例で用いたパスポート冊子８に印刷された顔写真の階調画像の画素１０の寸法は、約８０μｍである。
【００４５】
画像のビットマップ情報から記録すべき画素１０の位置を指定して、この画素１０の中に線幅１μｍから２μｍで文字高さ１０μｍの暗号化した文字列を記録した（図２参照）。
【００４６】
結果として、保護層４を損傷することなく、インク３の黒のみを破砕して消色することにより、階調画像の画素１０の中に目視または拡大鏡では確認困難な記録情報１１を記録し得た。
【００４７】
更に、記録情報１１の画素１０の位置情報と暗号解読キー情報は、パスポート冊子８に埋め込んだ非接触型伝達手段を有するＩＣチップ９の記憶回路に蓄積される。
【図面の簡単な説明】
【００４８】
【図１】本発明に係る超短パルスレーザーによる積層シート内部への不可視情報の記録方法を示す概略図である。
【図２】本発明に係る超短パルスレーザーによりパスポート冊子への秘匿情報の書き込みを示す図である。
【符号の説明】
【００４９】
１…積層シート
２…紙基材
３…インク（黄、マゼンタ、シアン、黒の４色）
４…保護層
５…レーザービーム
６…集光レンズ
７…Ｘ、Ｙ、Ｚステージ
８…パスポート冊子
９…ＩＣチップ
１０…画素
１１…記録情報
１２…画像部（顔写真）
【図１】
0004670561.tif 000002
【図２】
0004670561.tif 000003